(57)【要約】【課題】畳下収納部の上扉を畳上に取手の代用品を露出させることなく、簡単に開閉する。【解決手段】畳２下に凹設した収納部３に開閉自在に設けた上扉５を畳２底部に固定し、上扉５を所定開度を以て押し開く様に上方付勢して成る上扉押上げ棒８を上扉開放端５ａに対応する様に収納部３内に出没自在に上向き配置し、上扉押上げ棒８の付勢力に抗して上扉５の閉扉状態を保持する施錠装置７を設け、該施錠装置７には、前記閉扉状態を解除する解錠操作レバー２３を設け、上扉５に固定した畳２と隣接する畳２ａとの畳縁２４、２４ａ間より解錠板２５を差し込んで解錠操作レバー２３を押圧、又は操作ワイヤ２７を用いた遠隔操作手段２８にて解錠操作レバー２３を操作することにより、施錠装置７による上扉５の閉扉状態を解除し、上扉押上げ棒８の付勢力にて畳２と共に上扉５を持ち上げる様にして所定開度を以て押し開き、上蓋５を開放する。【選択図】　　　　図２
2004107994.tif 000002
【特許請求の範囲】
【請求項１】
畳下に凹設した収納部に開閉自在に設けた上扉を畳底部に固定し、上方付勢して成る上扉押上げ棒を上扉開放端に対応する様に収納部内に出没自在に上向き配置すると共に、上扉押上げ棒の付勢力に抗して上扉の閉扉状態を保持する施錠装置を設け、該施錠装置には、上扉に固定した畳と隣接する畳との畳縁間より下方へ差し込まれる解錠板の押圧にて前記閉扉状態を解除する解錠操作レバーを設けたことを特徴とする畳下収納庫。
【請求項２】
解錠操作レバーを操作ワイヤを用いた遠隔操作手段に連繋したことを特徴とする請求項１記載の畳下収納庫。
【請求項３】
施錠装置は、磁石と鉄板との吸着により、上扉の閉扉状態を保持し、解錠操作レバーは、鉄板を磁石より離間させる爪片に連繋したことを特徴とする請求項１又は２記載の畳下収納庫。
【発明の詳細な説明】
【０００１】
【発明の属する技術分野】
本発明は、畳を敷き詰めた座敷における畳下収納庫に関する。
【０００２】
【従来の技術】
従来、畳を敷き詰めた座敷において、畳下に設けた収納庫を開放するには、先ず、一畳の畳の畳縁適所に畳表面に露出する様に取付けた紐を引っ張って畳を外し、これにより露出する収納庫の上蓋の上面に設けた回転取手を引き出し、該取手で以て上蓋を開放する様に成していた。
【０００３】
研究開発段階や出願段階で先行技術調査を行っておらず、記載すべき先行技術文献を知りません。
【０００４】
【発明が解決しようとする課題】
しかしながら、畳を一旦外した後に、上蓋を開閉するのは、甚だ面倒であると共に、外した畳を壁に立て掛けておかないと、上蓋の開放時に邪魔となる不具合を有する。
又、畳を外すために取付けられた紐が常時畳上に露出しているのは見た目が悪く、躓き易いといった課題を有していた。
【０００５】
【課題を解決するための手段】
本発明は、上記課題に鑑み、畳下に凹設した収納部に開閉自在に設けた上扉を畳底部に固定し、上扉を所定開度を以て押し開く様に上方付勢して成る上扉押上げ棒を上扉開放端に対応する様に収納部内に出没自在に上向き配置すると共に、上扉押上げ棒の付勢力に抗して上扉の閉扉状態を保持する施錠装置を設け、該施錠装置には、上扉に固定した畳と隣接する畳との畳縁間より下方へ差し込まれる解錠板の押圧にて前記閉扉状態を解除する解錠操作レバーを設けたもの、又は、解錠操作レバーを操作ワイヤを用いた遠隔操作手段に連繋した畳下収納庫を提供し、上扉に固定した畳と隣接する畳との畳縁間より解錠板を差し込んで解錠操作レバーを押圧、又は遠隔操作手段にて解錠操作レバーを操作することにより、施錠装置による上扉の閉扉状態を解除し、上扉押上げ棒の付勢力にて畳と共に上扉を持ち上げる様にして所定開度を以て押し開き、上蓋を開放する様にして、上記課題を解決する。
【０００６】
【発明の実施の形態】
以下本発明の一実施例を図面に基づいて説明する。
本発明に係る畳下収納庫１は、所定枚数分に対応した畳（図示例では一畳の畳）２下に収納部３を凹設し、該収納部３にヒンジ４にて開閉自在に設けた上扉５を畳２底部に一体的に固定している。
又、畳下収納庫１には、上扉５を所定開度を以て押し開く上扉開放手段６と、上扉５を閉扉状態に保持する施錠装置７とを設けている。
【０００７】
上扉開放手段６は、上扉５を所定開度を以て押し開く様に上方付勢して成る上扉押上げ棒８を上扉開放端５ａの略中間部位に対応する様に収納部３の上部内壁に出没自在に上向き配置している。
上扉押上げ棒８は、ダンパーのロッドであり、ダンパー本体９を収納部３の上記内壁に取付け、上扉押上げ棒８の伸長状態では、先端が収納部３の開口部より所定長さ上方へ突出する様に成し、収縮状態では、先端が閉扉した上扉５より下方に没入する様に成している。
【０００８】
施錠装置７は、上扉押上げ棒８の付勢力に抗して上扉５の閉扉状態を磁石１０と鉄板１１との吸着により保持するものにして、該鉄板１１を上扉開放端５ａの略中間部内側に取付け、鉄板１１に対応する収納部３の内壁に磁石１０を取付けている。
鉄板１１は帯板状に形成され、膨縮調整体１２を介して上扉開放端５ａの内側にその長さ方向に沿って突出する様に取付けている。
膨縮調整体１２は、ウレタンゴムやその他の弾性を有する合成ゴム製にして、鉄板１１の面積に対応すると共に、所定肉厚を有する直方形状に形成して成り、膨縮調整体１２の両端には、その肉厚に対応したコイルバネ１３を内装し、該コイルバネ１３に対応して鉄板１１に設けたビス穴よりコイルバネ１３を挿通した皿小ねじ１４にて鉄板１１と共に膨縮調整体１２を上扉５に固定している。
そして、皿小ねじ１４の締め付け具合で膨縮調整体１２の厚みを調整することにより、磁石１０が鉄板１１を吸着した上扉５の閉扉状態において、収納部３に対する上扉５の浮き上がり状態（上扉５の収納部３との閉まり具合）を調整する様に成している。
尚、鉄板１１と膨縮調整体１２において、上扉押上げ棒８との対応部位には、上扉押上げ棒８の先端が挿脱する挿通穴１５を設けている。
磁石１０は、鉄板１１と同長の磁性体（鉄板）から成る一対のヨーク１６にてダンパー本体９と共に挟持されている。
磁石１０を挟持したヨーク１６の幅は鉄板１１の幅と同一に設定され、ヨーク１６の両端は磁石１０と同厚のスペーサ１７を介装して収納部３の内壁上部に固定している。
又、ヨーク１６の一端側は、磁石１０を介装せずに空間部Ｓを形成しているが、磁石１０によりヨーク１６は磁性しているので、鉄板１１全体を吸着できる。
【０００９】
施錠装置７には、上扉５の閉扉状態、即ち磁石１０と鉄板１１との吸着状態を解除する解錠手段１８を設けている。
この解錠手段１８は、磁石１０と鉄板１１とが吸着した上扉５の閉扉状態において、鉄板１１を磁石１０より離間させる爪片１９を空間部Ｓを有するヨーク１６間に揺動自在に枢着している。
爪片１９は帯板状に形成され、その上方寄り部位を支点と成し、爪片１９が鉛直線上に位置した時に、鉄板１１表面において空間部Ｓを有するヨーク１６間に挿脱自在に設けた凸面１１ａを、爪片上端１９ａが上方押圧する様に設定され、通常爪片１９は、その下端とヨーク１６間下端に介装した戻りバネ２０により、傾倒して爪片上端１９ａを凸面１１ａとの未接触位置に保持している（図３参照）。
爪片１９の支点は、一端がヨーク１６間に架設され、他端が収納部３外部へ突出して成るクランク軸２１に軸着され、該クランク軸２１の他端にクランク２２の基端を軸着すると共に、該クランク２２の先端に解錠操作レバー２３を直交状に突設することにより、該解錠操作レバー２３を爪片１９に連繋している。
解錠操作レバー２３は、上扉５に固定した畳２と隣接する畳２ａとの畳縁２４、２４ａ間下方に立体交差状に配置され、前記畳縁２４、２４ａ間より後述する別設の解錠板２５を下方へ差し込んで戻りバネ２０の付勢力に抗して解錠操作レバー２３を押圧することにより、爪片１９を上方揺動させて爪片上端１９ａが凸面１１ａ（鉄板１１）を磁石１０から離間する上方へ押圧する様に成している。
尚、ヨーク１６間下方にして爪片１９の揺動方向前後には、爪片１９の鉛直状態又は傾倒状態の位置を規制するストッパー２６、２６ａを設けている。
又、解錠板２５は、薄肉帯状の金属板から成り、その基端に丸棒状のグリップ２５ａを設け、先端を畳縁２４、２４ａ間に差し込んで解錠操作レバー２３を下方押圧する様に成している。
【００１０】
次に、施錠装置７における解錠手段１８の変形例について、図８、９に基づき説明する。
この解錠手段１８は、解錠操作レバー２３を操作ワイヤ２７を用いた遠隔操作手段２８に連繋して成るものにして、その他の構成については上記と同様である。
操作ワイヤ２７は、可撓管２７ａにそれよりも長いインナーワイヤ２７ｂを内装して成り、可撓管２７ａの一端を、クランク２２より下方の収納部３の外側面に水平突設したブラケットＢに固定し、可撓管２７ａの一端に連続する様に設けたコイルバネ２９を挿通したインナーワイヤ２７ｂの一端を解錠操作レバー２３に連結している。
そして、可撓管２７ａを畳下適所に配してその他端を、畳下収納庫１を設けた部屋の押入れ等の遠隔操作場所Ｘに引き込む。
可撓管２７ａの他端は、遠隔操作場所Ｘである押し入れ等の片隅に立設したボックス３０内下端に固定され、インナーワイヤ２７ｂの他端を、ボックス３０上端に配したリング状の引手３１に一体形成した引き出し棒３１ａの先端に連結している。
【００１１】
次に本発明に係る畳下収納庫１の作用について説明する。
上扉５は、その開放端５ａ内側に設けた鉄板１１が、磁石１０を挟持することで磁性を帯びたヨーク１６上端に吸着されることにより、上扉押上げ棒８の付勢力に抗して上扉５の閉扉状態を保持している。
上扉５を開放する場合、上扉５を固定した畳２と隣接する畳２ａとの畳縁２４、２４ａ間に解錠板２５の先端を差し込んで戻りバネ２０の付勢力に抗して解錠操作レバー２３を下方へ押圧する。
これにより、爪片１９が揺動し、その上端１９ａが鉄板１１の凸面１１ａを上方へ押圧することにより、磁石１０によってヨーク１６上に吸着されていた鉄板１１が上方へ離間し、同時に磁石１０による鉄板１１の吸着で抑制されていた上扉押上げ棒８の上方付勢力が解除されることとなり、上扉押上げ棒８は、その付勢力により上動して上扉５を畳２と共に押し上げ、上扉押上げ棒８が上方突出した分だけの開度を以て上扉５は開放され、その後は手で以て全開される。
尚、解錠板２５による解錠操作レバー２３の押圧を解除した後、爪片１９は戻りバネ２０により復帰する。
又、遠隔操作手段２８を設けた畳下収納庫１にあっては、コイルバネ２９と戻りバネ２０の付勢力に抗して引手３１を上方へ引き上げることにより、インナーワイヤ２７ｂを介して解錠操作レバー２３が引き下げられ、爪片１９が上記と同様に動作し、上扉押上げ棒８の上動により上扉５は所定開度を以て開放される。
そして、引手３１を手放すと、コイルバネ２９の付勢力により、インナーワイヤ２７ｂを介して解錠操作レバー２３は復帰し、爪片１９は戻りバネ２０により復帰する。
又、上扉５を閉扉する場合、上扉開放端５ａを上扉押上げ棒８の上端に押し当てながら、鉄板１１が磁石１０（ヨーク１６）に吸着されるまで押し下げることで成し得る。
尚、遠隔操作手段２８を設けた畳下収納庫１にあっては、解錠板２５による上扉５の開放も可能である。
【００１２】
【発明の効果】
要するに本発明は、畳２下に凹設した収納部３に開閉自在に設けた上扉５を畳２底部に固定したので、上扉５と共に畳２を一気に開閉でき、従来の様に、一旦畳を外した後に上扉を開閉するといった煩わしさがなく開閉できる。
又、上扉５を所定開度を以て押し開く様に上方付勢して成る上扉押上げ棒８を上扉開放端５ａに対応する様に収納部３内に出没自在に上向き配置すると共に、上扉押上げ棒８の付勢力に抗して上扉５の閉扉状態を保持する施錠装置７を設け、該施錠装置７には、上扉５に固定した畳２と隣接する畳２ａとの畳縁２４、２４ａ間より下方へ差し込まれる解錠板２５の押圧にて前記閉扉状態を解除する解錠操作レバー２３を設けたので、上扉５に固定した畳２と隣接する畳２ａとの畳縁２４、２４ａ間より解錠板２５を差し込み、解錠操作レバー２３を下方へ押圧するだけで、施錠装置７による上扉５の閉扉状態を解除して、上扉押上げ棒８の上動により、上扉５を所定開度を以て開放でき、かかる状態より簡単に上扉５を畳２と共に全開できる。
よって、本発明によれば、上扉５の閉扉状態において、表面上では畳２が敷設された座敷にしか見えず、従来の様な取手の代わりとなる紐等が畳上に露出していないため、見た目が良く、上扉５の開放時のみ解錠板２５を上記の様に使用するだけのため、従来の様に躓く心配もない。
【００１３】
又、解錠操作レバー２３を操作ワイヤ２７を用いた遠隔操作手段２８に連繋したので、該遠隔操作手段２８を畳下収納庫１を設けた部屋の押入れ等に設置すれば、見た目上も通常の座敷と何ら変わりなく、解錠板５を使用する場合に比し、簡単にして確実に施錠装置７による閉扉状態を解除でき、上扉押上げ棒８の上動で上記の如く上扉５を開放できる。
【００１４】
施錠装置７は、磁石１０と鉄板１１との吸着により、上扉５の閉扉状態を保持し、解錠操作レバー２３は、鉄板１１を磁石１０より離間させる爪片１９に連繋したので、複雑な機構を用いることなく上扉５の閉扉状態を保持及び解除できると共に、特に施錠装置７は故障がなく恒久的な使用が可能である等その実用的効果甚だ大である。
【図面の簡単な説明】
【図１】上扉の閉扉状態における畳下収納庫の平面図である。
【図２】畳下収納庫の側部断面図である。
【図３】上扉の閉扉状態における畳下収納庫の要部正面図である。
【図４】上扉の閉扉状態における上扉開放手段と施錠装置の断面図である。
【図５】図４のＡーＡ断面図である。
【図６】上扉の開放状態における畳下収納庫の要部正面図である。
【図７】上扉の開放状態における上扉開放手段と施錠装置の断面図である。
【図８】遠隔操作手段を示す図である。
【図９】遠隔操作手段の操作ワイヤの取付け状態を示す図である。
【符号の説明】
２、２ａ　　畳
３　　　　収納部
５　　　　上扉
５ａ　　　　上扉開放端
７　　　　施錠装置
８　　　　上扉押上げ棒
１０　　　　磁石
１１　　　　鉄板
１９　　　　爪片
２３　　　　解錠操作レバー
２４、２４ａ　畳縁
２５　　　　解錠板
２７　　　　操作ワイヤ
２８　　　　遠隔操作手段
【図１】
2004107994.tif 000003
【図２】
2004107994.tif 000004
【図３】
2004107994.tif 000005
【図４】
2004107994.tif 000006
【図５】
2004107994.tif 000007
【図６】
2004107994.tif 000008
【図７】
2004107994.tif 000009
【図８】
2004107994.tif 000010
【図９】
2004107994.tif 000011